【手続補正書】
【提出日】平成27年1月7日(2015.1.7)
【手続補正１】
【補正対象書類名】特許請求の範囲
【補正対象項目名】全文
【補正方法】変更
【補正の内容】
【特許請求の範囲】
【請求項１】
垂直ガラス分布における欠陥を修正するシステムであって、
ブロー成型されたパリソン内の実際の垂直ガラス分布を示す測定ガラス分布を発生するように構成されるガラス分布測定システムを備え、
該システムは、所望の垂直ガラス分布を有するように構成されており、また、前記システムは、
前記測定ガラス分布を前記所望の垂直ガラス分布と比較し、前記測定ガラス分布を前記所望の垂直ガラス分布と比較した結果を示す垂直ガラス分布誤差信号を発生するように構成される加算器と、
パリソンがブロー成型される前のブロー型内における前記パリソンの延伸を、前記垂直ガラス分布誤差信号を減少させることになる仕方で、変化させるように最終ブローの開始時刻のタイミングを変更するように構成される最終ブローの開始時刻の信号を発生するために、前記垂直ガラス分布誤差信号を用いるように構成される最終ブロー制御器と、
パリソン型の冷却時間を選択的に変化させるように構成および設定されるパリソン型冷却制御器と
を備える、システム。
【請求項２】
請求項１に記載のシステムであって、
前記ガラス分布測定システムは、パリソンがブロー成型された後のブロー成型されたパリソン内の前記垂直ガラス分布を判別するように構成され、
前記システムは、パリソンがブロー成型される前のブロー型内における前記パリソンの前記延伸に影響を与えることになる陰圧を前記ブロー型に選択的に印加するように構成および設定され、前記最終ブロー制御器は、前記最終ブローの開始時刻の前記タイミングを変更する代わりに、またはそれに加えて、前記ブロー型に印加される陰圧の開始時刻のタイミングを変更するように構成および設定される、システム。
【請求項３】
請求項１に記載のシステムであって、
前記最終ブロー制御器は、前記垂直ガラス分布誤差信号が、前記高温ガラス容器の下部において第１の所定の量より多いガラスを有し且つ前記高温ガラス容器の上部において第２の所定の量より少ないガラスを有する前記垂直ガラス分布を示す場合に、前記最終ブローの開始時刻を早めるように構成および設定され、また、前記最終ブロー制御器は、前記垂直ガラス分布誤差信号が、前記高温ガラス容器の下部において第３の所定の量より少ないガラスを有し且つ前記高温ガラス容器の上部において第４の所定の量より多いガラスを有する前記垂直ガラス分布を示す場合に、前記最終ブローの開始時刻を遅らせるように構成および設定される、システム。
【請求項４】
請求項１に記載のシステムであって、
該システムは、所望の最終ブローの開始時刻の信号を受けるように構成されており、また、
前記最終ブローの開始時刻の信号を前記所望の最終ブローの開始時刻の信号と比較し、最終ブロー誤差信号を発生する加算器と、
を追加的に備え、前記パリソン型冷却制御器は、前記パリソン型の前記冷却時間を、前記最終ブロー誤差信号を減少させることになる仕方で変更するために、前記最終ブロー誤差信号を用いるように構成および設定される、システム。
【請求項５】
請求項４に記載のシステムであって、
前記パリソン型冷却制御器は、前記最終ブロー誤差信号が、前記最終ブローの開始時刻は所望よりも遅く生じることを示す場合には、前記パリソン型の前記冷却時間を延長するように構成および設定され、前記パリソン型冷却制御器は、前記最終ブロー誤差信号が、前記最終ブローの開始時刻は所望よりも早く生じることを示す場合には、前記パリソン型の前記冷却時間を短縮するように構成および設定される、システム。
【請求項６】
請求項４に記載のシステムであって、
前記最終ブロー制御器は第１のフィードバックループ内に構成および設定され、前記パリソン型冷却制御器は第２のフィードバックループ内に構成および設定され、前記第２のフィードバックループは、前記第１のフィードバックループよりも比較的低速の応答を提供するように構成および設定される、システム。
【請求項７】
垂直ガラス分布における欠陥を修正するシステムであって、
ブロー成型されたパリソン内の実際の垂直ガラス分布を示す測定ガラス分布を発生するように構成されるガラス分布測定システムを備え、
該システムは、所望の垂直ガラス分布を有するように構成されており、また、前記システムは、
前記測定ガラス分布を前記所望の垂直ガラス分布と比較し、前記測定ガラス分布を前記所望の垂直ガラス分布と比較した結果を示す垂直ガラス分布誤差信号を発生するように構成される加算器と、
パリソンがブロー成型される前のブロー型内における前記パリソンの延伸を、前記垂直ガラス分布誤差信号を減少させることになる仕方で、変化させるように最終ブローの開始時刻のタイミングを変更するように構成される最終ブローの開始時刻の信号を発生するために、前記垂直ガラス分布誤差信号を用いるように構成される最終ブロー制御器と、
パリソン型のためのパリソン型温度設定値を提供するように構成および設定されるパリソン型冷却制御器と、
パリソンの温度を変更するように構成および設定されるパリソン型温度制御器と、
を追加的に備える、システム。
【請求項８】
請求項７に記載のシステムであって、
前記パリソン型冷却制御器はパリソン型温度設定値信号を提供し、前記システムは所望の最終ブローの開始時刻の信号を受けるように構成されており、前記システムは、
前記最終ブローの開始時刻の信号を前記所望の最終ブローの開始時刻の信号と比較し、最終ブロー誤差信号を発生する加算器を備え、
前記パリソン型冷却制御器は、前記パリソン型温度設定値信号を、前記最終ブロー誤差信号を減少させることになる仕方で変更するために、前記最終ブロー誤差信号を用いるように構成および設定され、前記システムは更に、
測定パリソン型温度信号を提供するパリソン型温度測定システムと、
前記測定パリソン型温度信号を前記パリソン型温度設定値信号と比較し、パリソン型温度誤差信号を発生する加算器と
を追加的に備え、
前記パリソン型温度制御器は、前記パリソン型の冷却時間を、前記パリソン型温度誤差信号を減少させることになる仕方で変更するために、前記パリソン型温度誤差信号を用いるように構成および設定される、システム。
【請求項９】
請求項７に記載のシステムであって、
前記パリソン型冷却制御器はパリソン型温度変化設定値信号を提供し、前記システムは所望の最終ブローの開始時刻の信号を受けるように構成されており、前記システムは、
前記最終ブローの開始時刻の信号を前記所望の最終ブローの開始時刻の信号と比較し、最終ブロー誤差信号を発生する加算器を追加的に備え、
前記パリソン型冷却制御器は、前記パリソン型温度設定値信号を、前記最終ブロー誤差信号を減少させることになる仕方で変更するために、前記最終ブロー誤差信号を用いるように構成および設定されており、前記システムは、
パリソンが形成される前後における前記パリソン型内の温度変化の測定量を提供するパリソン型温度変化測定システムと、
前記測定パリソン型温度変化信号を前記パリソン型温度変化設定値信号と比較し、パリソン型温度変化誤差信号を発生する加算器と、
を追加的に備え、
前記パリソン型温度制御器は、前記パリソン型の冷却時間を、前記パリソン型温度誤差信号を減少させることになる仕方で変更するために、前記パリソン型温度変化誤差信号を用いるように構成および設定される、システム。
【請求項１０】
請求項７に記載のシステムであって、
前記ガラス分布測定システムはパリソンがブロー成型された後にブロー成型されたパリソン内の前記垂直ガラス分布を決定するように構成されており、
前記システムは、パリソンがブロー成型される前のブロー型内における前記パリソンの前記延伸に影響を与えることになる陰圧を前記ブロー型に選択的に印加するように構成および設定され、前記最終ブロー制御器は、前記最終ブローの開始時刻の前記タイミングを変更する代わりに、またはそれに加えて、前記ブロー型に印加される陰圧の開始時刻のタイミングを変更するように構成および設定される、システム。
【請求項１１】
請求項７に記載のシステムであって、
前記最終ブロー制御器は、前記垂直ガラス分布誤差信号が、前記高温ガラス容器の下部において第１の所定の量より多いガラスを有し且つ前記高温ガラス容器の上部において第２の所定の量より少ないガラスを有する前記垂直ガラス分布を示す場合に、前記最終ブローの開始時刻を早めるように構成および設定され、また、前記最終ブロー制御器は、前記垂直ガラス分布誤差信号が、前記高温ガラス容器の下部において第３の所定の量より少ないガラスを有し且つ前記高温ガラス容器の上部において第４の所定の量より多いガラスを有する前記垂直ガラス分布を示す場合に、前記最終ブローの開始時刻を遅らせるように構成および設定される、システム。
【請求項１２】
垂直ガラス分布における欠陥を修正するシステムであって、
ブロー成型されたパリソン内の実際の垂直ガラス分布を示す測定ガラス分布を発生するように構成されるガラス分布測定システムを備え、
該システムは、所望の垂直ガラス分布を有するように構成されており、また、前記システムは、
前記測定ガラス分布を前記所望の垂直ガラス分布と比較し、前記測定ガラス分布を前記所望の垂直ガラス分布と比較した結果を示す垂直ガラス分布誤差信号を発生するように構成される加算器と、
パリソンがブロー成型される前のブロー型内における前記パリソンの延伸を、前記垂直ガラス分布誤差信号を減少させることになる仕方で、変化させるように最終ブローの開始時刻のタイミングを変更するように構成される最終ブローの開始時刻の信号を発生するために、前記垂直ガラス分布誤差信号を用いるように構成される最終ブロー制御器と、
パリソン温度設定値を提供するように構成および設定されるパリソン型冷却制御器と、
前記パリソン型内で形成された後の前記パリソン型内におけるパリソンの接触時間を変更するように構成および設定されるパリソン型接触時間制御器と、
を追加的に備える、システム。
【請求項１３】
請求項１２に記載のシステムであって、
前記パリソン型冷却制御器はパリソン温度設定値信号を提供し、前記システムは所望の最終ブローの開始時刻の信号を受けるように構成されており、また、前記システムは、
前記最終ブローの開始時刻の信号を前記所望の最終ブローの開始時刻の信号と比較し、最終ブロー誤差信号を発生する加算器を備え、
前記パリソン型冷却制御器は、前記パリソン温度設定値信号を、前記最終ブロー誤差信号を減少させることになる仕方で変更するために、前記最終ブロー誤差信号を用いるように構成および設定され、また、前記システムは、
それが形成された後のパリソンの温度の測定値を提供するパリソン温度測定システムと、
前記パリソンの前記測定パリソン温度を前記パリソン温度設定値信号と比較し、パリソン温度誤差信号を発生する加算器と
を追加的に備え、
前記パリソン型温度制御器は、前記パリソン型内で形成された後の前記パリソン型内におけるパリソンの接触時間を、前記パリソン温度誤差信号を減少させることになる仕方で変更するために、前記パリソン温度誤差信号を用いるように構成および設定される、システム。
【請求項１４】
垂直ガラス分布における欠陥を修正するシステムであって、
ブロー成型されたパリソン内の実際の垂直ガラス分布を示す測定ガラス分布を発生するように構成されるガラス分布測定システムを備え、
該システムは、所望の垂直ガラス分布を有するように構成されており、また、前記システムは、
前記測定ガラス分布を前記所望の垂直ガラス分布と比較し、前記測定ガラス分布を前記所望の垂直ガラス分布と比較した結果を示す垂直ガラス分布誤差信号を発生するように構成される加算器と、
パリソンがブロー成型される前のブロー型内における前記パリソンの延伸を、前記垂直ガラス分布誤差信号を減少させることになる仕方で、変化させるように最終ブローの開始時刻のタイミングを変更するように構成される最終ブローの開始時刻の信号を発生するために、前記垂直ガラス分布誤差信号を用いるように構成される最終ブロー制御器と、
パリソン温度設定値を提供するように構成および設定されるパリソン型冷却制御器と、
前記パリソン型内で形成されたパリソンの温度を変更するように構成および設定されるパリソン温度制御器と、
を追加的に備える、システム。
【請求項１５】
請求項１４に記載のシステムであって、
前記パリソン型冷却制御器はパリソン温度設定値信号を提供し、前記システムは所望の最終ブローの開始時刻の信号を受けるように構成され、前記システムは、
前記最終ブローの開始時刻の信号を前記所望の最終ブローの開始時刻の信号と比較し、最終ブロー誤差信号を発生する加算器を備え、
前記パリソン型冷却制御器は、前記パリソン温度設定値信号を、前記最終ブロー誤差信号を減少させることになる仕方で変更するために、前記最終ブロー誤差信号を用いるように構成および設定され、前記システムは、
前記パリソン型内で形成された後のパリソンの温度の測定値を提供するパリソン温度測定システムと、
前記測定パリソン温度を前記パリソン温度設定値信号と比較し、パリソン温度誤差信号を発生する加算器と、
を追加的に備え、
前記パリソン温度制御器は、前記パリソン型の冷却時間を、前記パリソン温度誤差信号を減少させることになる仕方で変更するために、前記パリソン温度信号を用いるように構成および設定される、システム。
【請求項１６】
請求項１４に記載のシステムであって、
前記ガラス分布測定システムはパリソンがブロー成型された後にブロー成型されたパリソン内の前記垂直ガラス分布を決定するように構成されており、
前記システムは、パリソンがブロー成型される前のブロー型内における前記パリソンの前記延伸に影響を与えることになる陰圧を前記ブロー型に選択的に印加するように構成および設定され、前記最終ブロー制御器は、前記最終ブローの開始時刻の前記タイミングを変更する代わりに、またはそれに加えて、前記ブロー型に印加される陰圧の開始時刻のタイミングを変更するように構成および設定される、システム。
【請求項１７】
請求項１４に記載のシステムであって、
前記最終ブロー制御器は、前記垂直ガラス分布誤差信号が、前記高温ガラス容器の下部において第１の所定の量より多いガラスを有し且つ前記高温ガラス容器の上部において第２の所定の量より少ないガラスを有する前記垂直ガラス分布を示す場合に、前記最終ブローの開始時刻を早めるように構成および設定され、また、前記最終ブロー制御器は、前記垂直ガラス分布誤差信号が、前記高温ガラス容器の下部において第３の所定の量より少ないガラスを有し且つ前記高温ガラス容器の上部において第４の所定の量より多いガラスを有する前記垂直ガラス分布を示す場合に、前記最終ブローの開始時刻を遅らせるように構成および設定される、システム。
【請求項１８】
請求項１２に記載のシステムであって、
前記ガラス分布測定システムは、パリソンがブロー成型された後のブロー成型されたパリソン内の前記垂直ガラス分布を判別するように構成され、
前記システムは、パリソンがブロー成型される前のブロー型内における前記パリソンの前記延伸に影響を与えることになる陰圧を前記ブロー型に選択的に印加するように構成および設定され、前記最終ブロー制御器は、前記最終ブローの開始時刻の前記タイミングを変更する代わりに、またはそれに加えて、前記ブロー型に印加される陰圧の開始時刻のタイミングを変更するように構成および設定される、システム。
【請求項１９】
請求項１２に記載のシステムであって、
前記最終ブロー制御器は、前記垂直ガラス分布誤差信号が、前記高温ガラス容器の下部において第１の所定の量より多いガラスを有し且つ前記高温ガラス容器の上部において第２の所定の量より少ないガラスを有する前記垂直ガラス分布を示す場合に、前記最終ブローの開始時刻を早めるように構成および設定され、また、前記最終ブロー制御器は、前記垂直ガラス分布誤差信号が、前記高温ガラス容器の下部において第３の所定の量より少ないガラスを有し且つ前記高温ガラス容器の上部において第４の所定の量より多いガラスを有する前記垂直ガラス分布を示す場合に、前記最終ブローの開始時刻を遅らせるように構成および設定される、システム。
【手続補正２】
【補正対象書類名】明細書
【補正対象項目名】００１１
【補正方法】変更
【補正の内容】
【００１１】
[0011]本発明のこれらおよびその他の利点は、図面を参照することによって最も良く理解される。なお、本発明は、以下の態様に関し得る。
（態様１）垂直ガラス分布における欠陥を修正するシステムであって、ブロー成型されたパリソン内の実際の垂直ガラス分布を示す測定ガラス分布信号を提供するガラス分布測定システムと、所望の垂直ガラス分布信号と、前記測定ガラス分布信号を前記所望の垂直ガラス分布信号と比較し、垂直ガラス分布誤差信号を発生する加算器と、パリソンがブロー成型される前のブロー型内における前記パリソンの延伸を、前記垂直ガラス分布誤差信号を減少させることになる仕方で変化させるように最終ブローの開始時刻のタイミングを変更するべく最終ブロー信号の開始時刻を提供するために、前記垂直ガラス分布誤差信号を用いるように構成および設定される最終ブロー制御器と、を備える、システム。
（態様２）前記システムは、パリソンがブロー成型される前のブロー型内における前記パリソンの前記延伸に影響を与えることになる陰圧を前記ブロー型に選択的に印加するように構成および設定され、前記最終ブロー制御器は、前記最終ブローの開始時刻の前記タイミングを変更する代わりに、またはそれに加えて、前記ブロー型に印加される陰圧の開始時刻のタイミングを変更するように構成および設定される、態様１に記載のシステム。
（態様３）前記最終ブロー制御器は、前記垂直ガラス分布誤差信号が、前記垂直ガラス分布は前記高温ガラス容器の下部においてはガラスが多すぎ、前記高温ガラス容器の上部においてはガラスが少なすぎることを示す場合には、前記最終ブローの開始時刻を早めるように構成および設定され、前記最終ブロー制御器は、前記垂直ガラス分布誤差信号が、前記垂直ガラス分布は前記高温ガラス容器の下部においてはガラスが少なすぎ、前記高温ガラス容器の上部においてはガラスが多すぎることを示す場合には、前記最終ブローの開始時刻を遅らせるように構成および設定される、態様１に記載のシステム。
（態様４）パリソン型の冷却時間を選択的に変化させるように構成および設定されるパリソン型冷却制御器を追加的に備える、態様１に記載のシステム。
（態様５）所望の最終ブロー信号の開始時刻と、前記最終ブロー信号の開始時刻を前記所望の最終ブロー信号の開始時刻と比較し、最終ブロー誤差信号を発生する加算器と、を追加的に備え、前記パリソン型冷却制御器は、前記パリソン型の前記冷却時間を、前記最終ブロー誤差信号を減少させることになる仕方で変更するために、前記最終ブロー誤差信号を用いるように構成および設定される、態様４に記載のシステム。
（態様６）前記パリソン型冷却制御器は、前記最終ブロー誤差信号が、前記最終ブローの開始時刻は所望よりも遅く生じることを示す場合には、前記パリソン型の前記冷却時間を延長するように構成および設定され、前記パリソン型冷却制御器は、前記最終ブロー誤差信号が、前記最終ブローの開始時刻は所望よりも早く生じることを示す場合には、前記パリソン型の前記冷却時間を短縮するように構成および設定される、態様５に記載のシステム。
（態様７）前記最終ブロー制御器は第１のフィードバックループ内に構成および設定され、前記パリソン型冷却制御器は第２のフィードバックループ内に構成および設定され、前記第２のフィードバックループは、前記第１のフィードバックループよりも比較的低速の応答を提供するように構成および設定される、態様５に記載のシステム。
（態様８）パリソン型のためのパリソン型温度設定値を提供するように構成および設定されるパリソン型冷却制御器と、パリソンの温度を変更するように構成および設定されるパリソン型温度制御器と、を追加的に備える、態様１に記載のシステム。
（態様９）前記パリソン型冷却制御器はパリソン型温度設定値信号を提供し、前記システムは、所望の最終ブロー信号の開始時刻と、前記最終ブロー信号の開始時刻を前記所望の最終ブロー信号の開始時刻と比較し、最終ブロー誤差信号を発生する加算器であって、前記パリソン型冷却制御器は、前記パリソン型温度設定値信号を、前記最終ブロー誤差信号を減少させることになる仕方で変更するために、前記最終ブロー誤差信号を用いるように構成および設定される加算器と、測定パリソン型温度信号を提供するパリソン型温度測定システムと、前記測定パリソン型温度信号を前記パリソン型温度設定値信号と比較し、パリソン型温度誤差信号を発生する加算器であって、前記パリソン型温度制御器は、前記パリソン型の冷却時間を、前記パリソン型温度誤差信号を減少させることになる仕方で変更するために、前記パリソン型温度誤差信号を用いるように構成および設定される加算器と、
を追加的に備える、態様８に記載のシステム。
（態様１０）前記パリソン型冷却制御器はパリソン型温度変化設定値信号を提供し、前記システムは、所望の最終ブロー信号の開始時刻と、前記最終ブロー信号の開始時刻を前記所望の最終ブロー信号の開始時刻と比較し、最終ブロー誤差信号を発生する加算器であって、前記パリソン型冷却制御器は、前記パリソン型温度設定値信号を、前記最終ブロー誤差信号を減少させることになる仕方で変更するために、前記最終ブロー誤差信号を用いるように構成および設定される加算器と、パリソンが形成される前後における前記パリソン型内の温度変化の測定量を提供するパリソン型温度変化測定システムと、前記測定パリソン型温度変化信号を前記パリソン型温度変化設定値信号と比較し、パリソン型温度変化誤差信号を発生する加算器であって、前記パリソン型温度制御器は、前記パリソン型の冷却時間を、前記パリソン型温度誤差信号を減少させることになる仕方で変更するために、前記パリソン型温度変化誤差信号を用いるように構成および設定される加算器と、を追加的に備える、態様８に記載のシステム。
（態様１１）パリソン温度設定値を提供するように構成および設定されるパリソン型冷却制御器と、前記パリソン型内で形成された後の前記パリソン型内におけるパリソンの接触時間を変更するように構成および設定されるパリソン型接触時間制御器と、を追加的に備える、態様１に記載のシステム。
（態様１２）前記パリソン型冷却制御器はパリソン温度設定値信号を提供し、前記システムは、所望の最終ブロー信号の開始時刻と、前記最終ブロー信号の開始時刻を前記所望の最終ブロー信号の開始時刻と比較し、最終ブロー誤差信号を発生する加算器であって、前記パリソン型冷却制御器は、前記パリソン温度設定値信号を、前記最終ブロー誤差信号を減少させることになる仕方で変更するために、前記最終ブロー誤差信号を用いるように構成および設定される加算器と、それパリソンが形成された後のパリソンの温度の測定値を提供するパリソン温度測定システムと、前記パリソンの前記測定パリソン温度を前記パリソン温度設定値信号と比較し、パリソン温度誤差信号を発生する加算器であって、前記パリソン型温度制御器は、前記パリソン型内で形成された後の前記パリソン型内におけるパリソンの接触時間を、前記パリソン温度誤差信号を減少させることになる仕方で変更するために、前記パリソン温度誤差信号を用いるように構成および設定される加算器と、を追加的に備える、態様１１に記載のシステム。
（態様１３）パリソン温度設定値を提供するように構成および設定されるパリソン型冷却制御器と、
前記パリソン型内で形成されたパリソンの温度を変更するように構成および設定されるパリソン温度制御器と、を追加的に備える、態様１に記載のシステム。
（態様１４）前記パリソン型冷却制御器はパリソン温度設定値信号を提供し、前記システムは、所望の最終ブロー信号の開始時刻と、前記最終ブロー信号の開始時刻を前記所望の最終ブロー信号の開始時刻と比較し、最終ブロー誤差信号を発生する加算器であって、
前記パリソン型冷却制御器は、前記パリソン温度設定値信号を、前記最終ブロー誤差信号を減少させることになる仕方で変更するために、前記最終ブロー誤差信号を用いるように構成および設定される加算器と、前記パリソン型内で形成された後のパリソンの温度の測定値を提供するパリソン温度測定システムと、前記測定パリソン温度を前記パリソン温度設定値信号と比較し、パリソン温度誤差信号を発生する加算器であって、前記パリソン温度制御器は、前記パリソン型の冷却時間を、前記パリソン温度誤差信号を減少させることになる仕方で変更するために、前記パリソン温度信号を用いるように構成および設定される加算器と、を追加的に備える、態様１３に記載のシステム。
（態様１５）垂直ガラス分布における欠陥を修正する方法であって、ブロー成型されたパリソン内の実際の垂直ガラス分布を示す測定ガラス分布信号を提供するステップと、所望の垂直ガラス分布信号を提供するステップと、前記測定ガラス分布信号を前記所望の垂直ガラス分布信号と比較し、垂直ガラス分布誤差信号を発生するステップと、パリソンがブロー成型される前のブロー型内における前記パリソンの延伸を、前記垂直ガラス分布誤差信号を減少させることになる仕方で変化させるように最終ブローの開始時刻のタイミングを変更するべく最終ブロー信号の開始時刻を提供するために、前記垂直ガラス分布誤差信号を用いるステップと、を備える、方法。
（態様１６）パリソンがブロー成型される前のブロー型内における前記パリソンの前記延伸に影響を与えることになる陰圧が前記ブロー型に選択的に印加され、前記最終ブローの開始時刻の前記タイミングを変更する代わりに、またはそれに加えて、前記ブロー型に印加される前記陰圧の開始時刻のタイミングが用いられる、態様１５に記載の方法。
（態様１７）所望の最終ブロー信号の開始時刻を提供するステップと、前記最終ブロー信号の開始時刻を前記所望の最終ブロー信号の開始時刻と比較し、最終ブロー誤差信号を発生するステップと、前記パリソン型の冷却時間を、前記垂直ガラス分布誤差信号を減少させることになる仕方で変更するために、前記最終ブロー誤差信号を用いるステップと、を追加的に備える、態様１５に記載の方法。
（態様１８）パリソン型温度設定値信号を提供するステップと、測定パリソン型温度信号を提供するステップと、前記測定パリソン型温度信号を前記パリソン型温度設定値信号と比較し、パリソン型温度誤差信号を発生するステップと、前記パリソン型の冷却時間を、前記垂直ガラス分布誤差信号を減少させることになる仕方で変更するために、前記パリソン型温度誤差信号を用いるステップと、を追加的に備える、態様１６に記載の方法。